(57)【要約】【課題】  自毛への結着箇所がわかりづらく、また、脱落時における被着者への心理的ショックを抑えることができ、さらには、櫛通りの良いボリューム感のある増毛が可能な擬毛材を提供する。【解決手段】  被着者の自毛に結着される天然毛髪または人工毛髪である幹毛１３と、幹毛１３に接着固着された増毛用毛髪２１とから擬毛材１１を構成する。自毛に結着させる輪部１２を幹毛１３に形成する。幹毛１３の輪部１２近傍に、増毛用毛髪２１の先端近傍を幹毛１３に沿って揃えて接着剤によって接着固定する。増毛用毛髪２１の接着箇所と輪部１２との間隔Ｌ１を約５ｍｍとする。幹毛１３の本数を２本以下とする。輪部１２に自毛を挿通して幹毛１３の両端１３ａ、１３ｂを引っ張り、輪部１２を縮径（収束）させて自毛に結び付けることにより、擬毛材１１を被着者の自毛に結着させる。【選択図】      図２
2006322111.tif 000002
【特許請求の範囲】
【請求項１】
頭部の自毛に取り付けられて増毛感を持たせる擬毛材であって、
頭部の自毛に結着される天然毛髪または人工毛髪からなる幹毛と、該幹毛に接着固定された増毛用毛髪とを備えたことを特徴とする擬毛材。
【請求項２】
前記増毛用毛髪は、前記幹毛に沿って揃えた状態で先端部分が接着固定されていることを特徴とする請求項１に記載の擬毛材
【請求項３】
前記擬毛材は、前記幹毛と前記増毛用毛髪を上下関係に配置して接着固定されていることを特徴とする請求項１または請求項２に記載の擬毛材。
【請求項４】
頭髪の自毛の根元近傍に人工毛髪または天然毛髪で作られた幹毛を結着するに当たり、この幹毛に複数本の所定の長さの人工毛髪である増毛用毛髪の先端を接着剤によって取り付けられ、この増毛用毛髪を備えた幹毛の先端輪部に自毛を挿通した後、この幹毛の輪部を結束して自毛に擬毛材を取り付け、この擬毛材の後端が幹毛に沿って揃えられることを特徴とする増毛方法。
【請求項５】
前記幹毛は、その本数が２本以下である擬毛材を使用することを特徴とする請求項４に記載の増毛方法。
【発明の詳細な説明】
【技術分野】
【０００１】
本発明は、増毛のために頭部の自毛に結束固着される擬毛材に関し、及びこの擬毛材を使用した増毛方法に関する。
【背景技術】
【０００２】
一般的に頭部に装着するかつらは、その装着により外見が一変することから敬遠される傾向にあり、また、かつらを装着するまでもないが、部分的に頭髪の薄くなった箇所の見かけをよくするために対処したいとの要望がある。
このため、近年では、頭部に装着するかつらに代わるものとして、人工毛髪あるいは天然毛髪からなる擬毛材を自毛に直接取り付ける増毛技術が開発されている。
【０００３】
この増毛技術としては、３本を一組とした擬毛材を、モノフィラメント糸のループに仮結びし、ループに１本から複数本の自毛を通した状態にて擬毛材の結び目をスライドさせて自毛に絡ませて結ぶことにより、自毛の根元に擬毛材を結着するものがある（例えば、特許文献１参照）。
また、幹毛に複数本の増毛用毛髪を結びつけた擬毛材を、棒状部の先端部にループを備えた増毛器具の棒状部に仮結びし、ループに１本から複数本の自毛を挿通した状態にて擬毛材の結び目をループ側にスライドさせて自毛に絡ませて結び、結着するものも知られている（例えば、特許文献２参照）。
【０００４】
【特許文献１】特開平８−９２８０９号公報第１頁
【特許文献２】特開２００２−１９４６１２号公報第１頁
【発明の開示】
【発明が解決しようとする課題】
【０００５】
ところで、擬毛材を自毛へ直接結着するこの種の増毛技術では、十分な増毛感を得るために、前述した特許文献１のように３本一組とした擬毛材を１本から複数本の自毛に結ぶ必要があるが、この増毛技術では、自毛の結着部分に３本の擬毛材のそれぞれの結び目が集まるので、その結び目全体が大きくなり、頭髪に櫛を通した際に、結び目への櫛の引っかかりが生じてしまう。この場合、一度に自毛へ結着する擬毛材の本数を減らすことにより、結び目を小さくして櫛の引っかかりをなくすことができるが、結着する本数を減らすと、ボリューム感のある増毛を行うことができなかった。
【０００６】
これに対して、特許文献２の増毛技術では、自毛へ直接結着する幹毛にそれぞれの増毛用毛髪を結着することにより自毛への結着部分と幹毛への増毛用毛髪の結着部分とが別々にされた擬毛材を用いるので、自毛への結着部分における結び目を小さくしつつボリューム感のある増毛を行うことができる。
しかしながら、この擬毛材では、幹毛に複数本の増毛用毛髪を結束しているので、これらの結着部分の結び目が球状に盛り上がるように見えてしまい、自毛への結着箇所が外部から視認され易かった。また、幹毛が頭部から脱落した場合に増毛用毛髪が幹毛に結束されたまま脱落するため、結束した増毛用毛髪と幹毛との結び玉が残っており、見た目が不自然であるため被着者に心理的なショックを与える恐れがあった。また、洗髪時などにおいて、擬毛材を結着した自毛が頭部から脱落した際に、毛髪の束が抜け落ちるように見えてしまい、被着者に心理的ショックを与えてしまう恐れがあった。
【０００７】
本発明は、上記事情に鑑みてなされたもので、自毛への結着箇所がわかりづらく、また、脱落時における被着者への心理的ショックを抑えることができ、さらには、櫛通りの良いボリューム感のある増毛が可能な擬毛材を提供することを目的としている。
本発明の課題は、特に、幹毛に増毛用毛髪を接着した箇所が、白色化しない擬毛材を提供する。
【課題を解決するための手段】
【０００８】
上記目的を達成するために、本発明の擬毛材は、頭部の自毛に取り付けられて増毛感を持たせる擬毛材であって、頭部の自毛に結着される天然毛髪または人工毛髪からなる幹毛と、該幹毛に接着固定された増毛用毛髪とを備えたことを特徴とする。
また、前記課題は、前記増毛用毛髪は、前記幹毛に沿って揃えた状態で先端部分が接着固定されている構成、前記擬毛材は、前記幹毛と前記増毛用毛髪を上下関係に配置して接着固定されている構成によって達成できる。
【０００９】
本発明の課題は、頭髪の自毛の根元近傍に人工毛髪または天然毛髪で作られた幹毛を結着するに当たり、この幹毛に複数本の所定の長さの人工毛髪である増毛用毛髪の先端を接着剤によって取り付けられ、この増毛用毛髪を備えた幹毛の先端輪部に自毛を挿通した後、この幹毛の輪部を結束して自毛に擬毛材を取り付け、この擬毛材の後端が幹毛に沿って揃えられる増毛方法によって達成できる。
【００１０】
そして、本発明によれば、頭部の自毛に結着される幹毛に増毛用毛髪を接着固定したことにより、従来の増毛用毛髪を幹毛へ結び付けるものと異なり、固着箇所に結び目が生じることがなく、これにより、頭髪内における自毛への擬毛材の結着箇所を目立たなくすることができ、櫛通りの良いボリューム感のある自然な増毛を施すことができる。特に、接着箇所の白色化は使用する接着剤を選択することで白色化を防止することができる。接着剤としてはシアノアクリレートを主成分とする接着剤を使用するとよい。  
また、自毛が脱落したとしても、抜け毛が増毛用毛髪による結び玉のような不自然な痕が残らないので、自然な抜け毛のように見せることができ、擬毛材の被着者への心理的なショックも抑えることができる。
【００１１】
また、前記増毛用毛髪は、その先端近傍が前記幹毛に沿って揃えて接着固定されていることが好ましい。更に、前記擬毛材は、前記幹毛と前記増毛用毛髪を上下関係に配置して接着固定されていることが好ましい。
このように、増毛用毛髪の先端近傍を幹毛に沿って揃えて接着固定することにより、増毛用毛髪が幹毛から枝分かれしたような自然な外観とすることができる。幹毛の自毛に対する結束位置よりやや上方に増毛用毛髪を幹毛に密着させて、幹毛と増毛用毛髪とを上下関係に配置して接着する。
【００１２】
また、本発明は、前記幹毛の本数が２本以下であることが好ましい。
このように、幹毛の本数を２本以下とすると、自毛への結着箇所に生じる結び目を極力小さくすることができる。これにより、頭部の自毛自体が脱落したとしても、自然な抜け毛のように見せて、被着者への心理的なショックを少なくすることができる。
【発明の効果】
【００１３】
本発明の擬毛材によれば、頭部の自毛に結着される幹毛に増毛用毛髪を接着固定したことにより、従来の増毛用毛髪を幹毛へ結び付けるものと異なり、固着箇所に結び目が生じることがなく、これにより、頭髪内における自毛への擬毛材の結着箇所を目立たなくすることができ、櫛通りの良いボリューム感のある自然な増毛を施すことができる。また、接着した増毛用毛髪が幹毛から脱落した際に、結び玉のような不自然な痕が残らず、自然な抜け毛のように見せることができ、被着者に対する心理的なショックを抑えることができる。
【００１４】
本発明の擬毛材は、幹毛に増毛用毛髪を接着固定するために接着剤を使用するから自毛に幹毛を結着する部分以外に結び玉が生じないので、幹毛に増毛用毛髪を結着した痕跡が目立たない。特に、接着剤の量を少なくできるので長期間の使用でも接着剤の白色化の恐れがないから目立たない。
【発明を実施するための最良の形態】
【００１５】
以下、本発明に係る擬毛材の実施形態について図面を参照して説明する。
図１は、擬毛材が仮結びされた増毛器具の側面図、図２は、増毛器具に仮結びされる擬毛材の斜視図である。本発明の擬毛材の自毛への結着の仕方を説明するそれぞれ斜視図である。図３は、本発明の擬毛材の自毛への結着の仕方を説明するそれぞれ斜視図である。図４は、本発明の擬毛材の自毛への結着の仕方を説明するそれぞれ斜視図である。図５は本発明の擬毛材の自毛への結着の仕方を説明するそれぞれ斜視図である。図６は本発明の擬毛材の自毛への結着の仕方を説明するそれぞれ斜視図である。図７は本発明の擬毛材の自毛への結着の仕方を説明するそれぞれ斜視図である。図８は本発明の擬毛材の自毛への結着の仕方を説明するそれぞれ斜視図である。図９（ａ）〜（ｆ）は本発明の疑毛材の増毛方法の増毛用毛髪を幹毛に接着した実施の形態を示す模式図である。図１０（ａ）〜図１３（ｂ）は本発明の擬毛材を製作する工程を示す説明図である。
【００１６】
増毛器具１の棒状部２には、その先端部に糸状線３が設けられている。この糸状線３は、ループ状に湾曲されて両端部が棒状部２の先端部に固着されている。なお、この糸状線３としては、例えば、ポリアミドからなるナイロンなどの柔軟性を有する合成樹脂を線状にしたものを用いるのが好ましい。また、増毛器具１を構成する棒状部２としては、特に、中空の管状に形成されたストロー形態であることが好ましく、このようなストロー形態であると、糸状線３の両端部を、棒状部２の中空部分に挿入して内壁面に容易に固着することができ、また、仮結びした擬毛材１１の結び目を容易に軸方向へずらすことができる。
【００１７】
図２に示すように、増毛器具１の棒状部２に仮結びされる擬毛材１１は、幹毛１３と、この幹毛１３に接着された増毛用毛髪２１とを有している。幹毛１３は、人工毛髪あるいは天然毛髪からなるもので、その折り返し部分に前述した輪部１２が形成され、この輪部１２に、増毛器具１の棒状部２が挿通されている。
幹毛１３には、人工毛髪あるいは天然毛髪からなる増毛用毛髪２１が固着されている。この増毛用毛髪２１は、幹毛１３と同材質である。使用する人工毛髪の太さは自毛Ｈと近似したものがよく、その太さは０．０８ｍｍである。その先端側を輪部１２に向けた状態にて、その先端近傍が幹毛１３に沿って揃えて接着固定されている。これにより、この増毛用毛髪２１は、幹毛１３から自然と枝分かれしたように接着されている。
【００１８】
この幹毛１３への増毛用毛髪２１の接着箇所である接着部２２は、輪部１２との間隔Ｌ１が約５ｍｍとされている。そして、このように約５ｍｍの間隔Ｌ１だけ接着部２２を輪部１２から離すことにより、接着剤の輪部１２への付着を防止し、自毛への結着に支障を来すことがなくされる。また、この増毛用毛髪２１は、接着部２２における幹毛１３への接着長さ寸法Ｌ２が、幹毛１３への確実な接着に十分な約１０ｍｍ程度の長さ寸法とされている。
使用する接着剤としては、接着後に白色化しない接着剤を使用する。例えば、シアノアクリレート系を主成分とするものである。また接着する場合は、増毛用毛髪２１を引っ張り、幹毛１３と増毛用毛髪２１とを密着させて接着するのが好ましい。
【００１９】
幹毛１３に増毛用毛髪２１を接着する形態としては種々の形態が考えられる。例えば、図９は図１の棒状部２から幹毛１３を取り外した模式図で、図９（ａ）は幹毛１３の１側に増毛用毛髪２１を接着したものである。図９（ｂ）は相対する２本の幹毛１３にそれぞれ増毛用毛髪２１を接着したものである。図９（ｃ）は一方の幹毛１３に増毛用毛髪２１を２ヵ所に接着した形態である。図９（ｄ）は一方の幹毛１３に複数本の増毛用毛髪２１を一ヶ所に接着した実施形態である。図９（ｅ）及び図９（ｆ）は相対する幹毛１３にそれぞれ複数本の増毛用毛髪２１を接着した実施形態である。
【００２０】
そして、上記擬毛材１１では、幹毛１３の輪部１２に自毛を挿通させた状態にて、幹毛１３の輪部１２を介した両端１３ａ、１３ｂを引っ張ることにより、輪部１２が縮径（収束）され、自毛に結着される。
なお、上記擬毛材１１の幹毛１３は１本に限らないが、３本以上とすると、自毛へ結着した際に、自毛と幹毛との結び目が大きくなり目立ってしまう。そして、このように結び目が目立つと、結び目が外観上視認されやすくなり、しかも、自毛とともに脱落した際に、抜け毛による擬毛材１１の脱落を認識させてしまい、被着者への心理的なショックを与えてしまう。このため、擬毛材１１の幹毛１３としては、１〜２本とするのが良い。
【００２１】
また、幹毛１３へ接着固定する増毛用毛髪２１の本数は、１本に限らず、複数本であっても良く、また、幹毛１３及び増毛用毛髪２１の太さは、自毛と近似した太さ約０．０８ｍｍ程度とするのが良い。なお、擬毛材１１を装着する本数は、被着者の頭髪の状態によって判断する。
【００２２】
次に、増毛器具１に仮結びした擬毛材１１を自毛へ取り付ける場合について説明する。
なお、ここでは、１本の幹毛１３に１本の増毛用毛髪２１を接着固定した擬毛材１１を増毛器具１によって自毛へ結着する場合を例にとって説明する。
図３から図８は、擬毛材１１の自毛への結着の仕方を説明するそれぞれ斜視図である。
図３に示すように、まず、増毛器具１の棒状部２の先端に設けられた糸状線３のループ内に、被着者の自毛Ｈを束ねて挿入させ（図３では１本の自毛に挿入した場合を示す）、この状態にて棒状部２に仮結びしてある擬毛材１１の輪部１２を指で挟み、糸状線３側へ向かって棒状部２の外周面に対して摺動させ、糸状線３のループ側へ移動させる。なお、糸状部３のループ内へ挿入させる自毛Ｈの本数としては、８本以上であると擬毛材１１の結束部分が大きくなり過ぎるので、７本以下が望ましく、１〜４本程度が適当である。
【００２３】
この状態において、図４に示すように、増毛器具１を後端側へ引っ張ることにより、糸状線３のループ内に挿通させた自毛Ｈを擬毛材１１の輪部１２内に引き込む。
さらに、増毛器具１を後方側へ移動させることにより、図５に示すように、自毛Ｈの先端を擬毛材１１の輪部１２から引き出し、図６に示すように、自毛Ｈから増毛器具１を外す。
【００２４】
次いで、擬毛材１１の輪部１２を自毛Ｈの根元の位置まで押し下げ、その後、幹毛１３の両端１３ａ、１３ｂを把持して互いに反対方向へ引っ張る。このようにすると、図７に示すように、輪部１２が縮径（収束）し、この輪部１２が結び目２３となって自毛Ｈに緊結し、これにより、擬毛材１１が自毛Ｈへ結着される。
このようにして、所定数の擬毛材１１をそれぞれ自毛Ｈに結着したら、ハサミなどの散髪器具によって、図８に示すように、擬毛材１１の幹毛１３及び増毛用毛髪２１と自毛Ｈとを切り揃えて頭皮Ｔからの長さを統一させてもよい。
【００２５】
以上、説明したように、上記実施形態に係る擬毛材によれば、被着者の自毛Ｈに結着される幹毛１３に増毛用毛髪２１を接着固定したことにより、増毛用毛髪を幹毛へ結び付けるものと異なり、固着箇所に結び目が生じることがなく、これにより、頭髪内における自毛Ｈへの擬毛材１１の結着箇所を目立たなくすることができ、櫛通りの良いボリューム感のある自然な増毛を施すことができる。また、増毛用毛髪２１が脱落したとしても、脱落した増毛用毛髪２１に結び玉のような不自然な痕が残らないので、自然な抜け毛のように見せることができ、被着者への心理的なショックを抑えることができる。
【００２６】
また、増毛用毛髪２１の後端近傍を幹毛１３に沿って揃えて接着固定したので、増毛用毛髪２１が幹毛１３から枝分かれしたような自然な外観とすることができる。
また、幹毛１３の本数を２本以下とすることにより、自毛Ｈへの結着箇所に生じる結び目を極力小さくすることができる。これにより、擬毛材１１自体が脱落したとしても、自然な抜け毛のように見せて、被着者への心理的なショックを少なくすることができる。
【００２７】
本発明に使用する増毛器具１の作製工程について図１０に基づいて説明する。
図１０（ａ）において、一本の幹毛１３を折り返して輪部１２を形成し、この幹毛１３の輪部１２に棒状部２を通して複数本の幹毛１３を所定間隔で配置したもので、一方の幹毛１３ｂの端部に目印１４を付けておく。目印１４をつけた幹毛１３ｂは自毛に擬毛材を結着する位置を調整する側であり、他方の幹毛１３ａには増毛用毛髪２１を接着する側である。図１０（ｂ）は増毛器具１の作製器具２４上に幹毛1３を具えた棒状部２を中央に固定し、幹毛１３を広げた状態で固定した図である。作製器具２４は、幹毛１３ｂを押さえる押さえ棒２０、棒状部２を固定するための受け皿として管状の棒を半分にきって開いた棒状部固定部１５、増毛用毛髪２１を幹毛１３に接着する際に接着剤の塗布する範囲となる縦方向に約１ｃｍの幅を持つ台紙１７、幹毛１３ａを固定するスポンジ状の幹毛固定部１８とから構成されている。
【００２８】
テープ１６ａ，１６ｂは棒状部固定部１５に棒状部２を固定するために、その両端に貼付してある。なお、仮結び目１９は棒状部２に幹毛１３を挿通して幹毛１３の両端を引っ張って形成したものである。図１１（ａ）は、図１０（ｂ）に示した作製器具２４をＣ方向から見た図であり、幹毛固定部１８に幹毛１３ａを固定するための切り目２７がつけてある。この切り目２７に幹毛１３ａを挿入して挟みこみ固定してある。図１１（ｂ）は押さえ棒２０をＤ方向から見た図であり、幹毛１３ｂの目印１４にかからないように押さえ棒２０を置く。作製器具２４に幹毛１３ｂを押さえ棒２０の平坦部分で強固に押さえる。この押さえ棒２０は幹毛１３ｂが容易に動かない程度の重量である。図１２は幹毛１３ａを固定した後に増毛用毛髪２１を幹毛固定部１８に挟んで固定した拡大図である。はさんで固定した増毛用毛髪２１は台紙１７の長手方向と直交して幹毛１３ａと重なるように長さ位置が調整される。
【００２９】
テープ１６で固定された棒状部２の上にかぶせたシート状の薄板２５は増毛用毛髪２１を幹毛１３ａに接着する際に輪部１２に接着剤が付着するのを防ぐためのものである。テープ２６は作製器具２４に前記シート状の薄板２５を固定するために両端に貼付してある。図１３（ａ）は、図１２をＤ方向から見た図で、幹毛１３ａの上から増毛用毛髪２１を重ねて幹毛固定部１８に挟んで固定している。
図１３（ｂ）は、図１２をＣ方向から見た図で、幹毛１３ａの上から増毛用毛髪２１を重ねて幹毛固定部１８の切り目２７に挿入した状態を示している。
【００３０】
以上のような作製器具２４を使用して本発明増毛器具１の製作方法を説明する。
一端部に目印１４をつけた幹毛１３を図２に示す結び方で棒状部２に結びつける。複数の幹毛１３を所定間隔で結びつける。次に、この棒状部２を作製器具２４の棒状部固定部１５の上に置き、テープ１６ａ，１６ｂで棒状部２の両端を固定する（図１０（ｂ）参照）。この時仮結び目１９が上側になるように棒状部２を固定する。幹毛１３ａを幹毛固定部１８の切り目２７に挿入して挟み込んで固定する。幹毛１３ａは図１０（ｂ）のように直線状に固定される。この場合、幹毛１３がたるまないように引っ張って緊張させて固定する。次に，目印１４が付いた幹毛１３ｂを作製器具２４の上に配列して押さえ棒２０によって固定する。
【００３１】
幹毛１３に増毛用毛髪２１を接着する工程を説明する。
幹毛固定部１８の切り目２７に増毛用毛髪２１を先に挿入した幹毛１３ａの上に重なるように挿入して固定する。あらかじめ、増毛用毛髪２１を切り目２７に挿入しておき、あとから幹毛１３ａを挿入してもよい。両者を上下関係に配置することにより密着性が高くなり、接着するための必要な接着剤の量が少なくてすみ、接着剤の量が少ないことにより接着剤の白色化を防ぐことができる。
増毛用毛髪２１を幹毛１３に接着する際に幹毛の輪部１２に接着剤が付着するのを防止するためにシート状の薄板２５を棒状部２の上に被せて被覆する。この薄板２５の両端をテープ２６，２６で固定する。
幹毛１３ａの所定位置に増毛用毛髪２１を接着するために台紙１７の長手方向に直交する範囲に増毛用毛髪２１と幹毛１３ａとが重なっている部分に接着剤を塗布面積が少ない鋭利な塗布棒を用いて塗布する。このような鋭利な塗布棒を使用することにより接着剤の量が少なくてすみ、接着剤の白色化を防止することができる。
【００３２】
本発明の擬毛材は、幹毛１３に増毛用毛髪２１を接着剤で接着してあるが、接着する際に切り目２７に幹毛１３を挿入挟み込んで増毛用毛髪２１を挿入して両者の密着性を高くして接着するから少量の接着剤で強固に接着することができる。
【００３３】
テープ１６ａ，１６ｂは棒状部固定部１５に棒状部２を固定するために、その両端に貼付してある。なお、仮結び目１９は棒状部２に幹毛１３を挿通して幹毛１３の両端を引っ張って形成したものである。図１０（ｃ）は、図１０（ｂ）に示した作製器具２０をＣ方向から見た図である。
【図面の簡単な説明】
【００３４】
【図１】本発明の擬毛材が仮結びされた増毛器具の側面図である。
【図２】本発明の増毛方法に使用する増毛器具に仮結びされる擬毛材の斜視図である。
【図３】本発明の擬毛材の自毛への結着の仕方を説明するそれぞれ斜視図である。
【図４】本発明の擬毛材の自毛への結着の仕方を説明するそれぞれ斜視図である。
【図５】本発明の擬毛材の自毛への結着の仕方を説明するそれぞれ斜視図である。
【図６】本発明の擬毛材の自毛への結着の仕方を説明するそれぞれ斜視図である。
【図７】本発明の擬毛材の自毛への結着の仕方を説明するそれぞれ斜視図である。
【図８】本発明の擬毛材の自毛への結着の仕方を説明するそれぞれ斜視図である。
【図９】本発明の擬毛材を構成する幹毛と増毛用毛髪の接着形態を示す模式図である。
【図１０】本発明の擬毛材を製作する工程を示す説明図である。  （ａ）擬毛材の増毛用毛髪を接着する前の状態を示す図。  （ｂ）幹毛を取付けた棒状部を作製器具に設置した状態を示す図。
【図１１】本発明の擬毛材を製作する工程を示す説明図である。（ａ）は、図１０（ｂ）のＣ方向から見た側面図。  （ｂ）は、図１０（ｂ）のＤ方向から見た押さえ棒で幹毛を作製器具に押さえた状態を示す図。
【図１２】本発明の作製器具を用いて幹毛に増毛用毛髪を重ねて幹毛固定部に固定した状態を示す平面図である。
【図１３】本発明の擬毛材を製作する工程を示す説明図である。（ａ）図１２のＤ方向から見た側面図。（ｂ）図１２のＣ方向から見た側面図。
【符号の説明】
【００３５】
１  増毛器具
２  棒状部
３  糸状線
１１  擬毛材
１２  輪部
１３  幹毛
１４  目印
１５  棒状部固定部
１６  テープ
１８  幹毛固定部
２１  増毛用毛髪
２２  接着部
２３  結び目
Ｈ  自毛
【図１】
2006322111.tif 000003
【図２】
2006322111.tif 000004
【図３】
2006322111.tif 000005
【図４】
2006322111.tif 000006
【図５】
2006322111.tif 000007
【図６】
2006322111.tif 000008
【図７】
2006322111.tif 000009
【図８】
2006322111.tif 000010
【図９】
2006322111.tif 000011
【図１０】
2006322111.tif 000012
【図１１】
2006322111.tif 000013
【図１２】
2006322111.tif 000014
【図１３】
2006322111.tif 000015